(57)【要約】【課題】  本発明は上下の居室を輻射熱で温度調節をできるようにして、設備費の低減とランニングコストの低減を図るとともに、エアコンや冷・暖房装置の設置スペースによって居室空間が狭くなるのを効率よく阻止することができる建物を得るにある。【解決手段】  下下部居室の上部に上部居室を備える建物において、前記下部居室の天井躯体、前記上部居室の床の何れか一方あるいは両方を蓄熱材料で構成するとともに、該天井躯体の上部に輻射熱収納空間を介して、前記上部居室の床を設け、前記輻射熱収納空間内に設けられた冷房、暖房のいずれか一方、あるいは両方の機能を有する輻射熱発生装置からの輻射熱で、前記下部居室および前記上部居室に輻射熱効果が得られる建物を構成している。【選択図】  図１
2013087535.tif 000002
【特許請求の範囲】
【請求項１】
下部居室の上部に上部居室を備える建物において、前記下部居室の天井躯体、前記上部居室の床の何れか一方あるいは両方を蓄熱材料で構成するとともに、前記天井躯体の上部に輻射熱収納空間を介して、前記上部居室の床を設け、前記輻射熱収納空間内に設けられた冷房、暖房のいずれか一方、あるいは両方の機能を有する輻射熱発生装置からの輻射熱で、前記下部居室および前記上部居室に輻射熱効果が得られるようにしたことを特徴とする建物。
【請求項２】
床には輻射熱収納空間内の輻射熱を上部居室内に導く複数の通気孔が形成されているとともに、天井躯体を構成する蓄熱材料はコンクリートであることを特徴とする請求項１記載の建物。
【請求項３】
輻射熱収納空間に設けられる輻射熱発生装置はオイルヒーター、温水ヒーター、輻射式冷温水機、エアコンのいずれかであることを特徴とする請求項１、２いずれかに記載の建物。
【発明の詳細な説明】
【技術分野】
【０００１】
本発明は下部居室の上部に上部居室を備える２階建て以上の建物に関する。
【背景技術】
【０００２】
従来の建物は各居室をエアコンや床暖房装置で温度調節を行なっていた。
このため、各居室の温度調節に、居室ごとのエアコンや床暖房装置が必要で、設備費がかかるとともに、温度調節のためのコストが高くなるという欠点があった。
【先行技術文献】
【特許文献】
【０００３】
【特許文献１】特開２０１１−１７１３号公報
【発明の概要】
【発明が解決しようとする課題】
【０００４】
本発明は以上のような従来の欠点に鑑み、上下の居室を輻射熱で温度調節をできるようにして、設備費の低減とランニングコストの低減を図るとともに、エアコンや冷・暖房装置の設置スペースによって居室空間が狭くなるのを効率よく阻止することができる建物を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は下部居室の上部に上部居室を備える建物において、前記下部居室の天井躯体、前記上部居室の床の何れか一方あるいは両方を蓄熱材料で構成するとともに、前記天井躯体の上部に輻射熱収納空間を介して、前記上部居室の床を設け、前記輻射熱収納空間内に設けられた冷房、暖房のいずれか一方、あるいは両方の機能を有する輻射熱発生装置からの輻射熱で、前記下部居室および前記上部居室に輻射熱効果が得られる建物を構成している。
【発明の効果】
【０００７】
以上の説明から明らかなように、本発明にあっては次に列挙する効果が得られる。
（１）請求項１により、輻射熱収納空間の輻射熱発生装置によって、上部居室と下部居室とを輻射熱で温度調節することができる。
したがって、下部居室と上部居室にそれぞれ輻射熱発生装置が不要で、設備費を低減させ、ランニングコストの低減を図ることができる。
（２）前記（１）によって、下部居室の天井と上部居室の床との間に設けた輻射熱収納空間内に輻射熱発生装置を設けているので、輻射熱発生装置によって下部居室や上部居室の空間が狭くなったりするのを阻止できる。
（３）前記（１）によって、下部居室の蓄熱材料を用いた天井躯体によって、下部居室の輻射熱効果を効率よく得ることができる。
（４）請求項２も前記（１）〜（３）と同様な効果が得られるとともに、上部居室も効率よく輻射熱効果が得られる。
（５）請求項３も前記（１）〜（３）と同様な効果が得られる。
【図面の簡単な説明】
【０００８】
【図１】本発明を実施するための第１の形態の縦断面図。
【図２】本発明を実施するための第１の形態の要部平面図。
【図３】本発明を実施するための第１の形態の要部説明図。
【図４】本発明を実施するための第１の形態の輻射熱発生装置の説明図。
【図５】本発明を実施するための第２の形態の縦断面図。
【図６】本発明を実施するための第２の形態の要部説明図。
【図７】本発明を実施するための第３の形態の縦断面図。
【図８】本発明を実施するための第３の形態の要部説明図。
【図９】本発明を実施するための第４の形態の縦断面図。
【図１０】本発明を実施するための第４の形態の要部説明図。
【図１１】本発明を実施するための第５の形態の縦断面図。
【図１２】本発明を実施するための第５の形態の要部説明図。
【発明を実施するための形態】
【０００９】
以下、図面に示す本発明を実施するための形態により、本発明を詳細に説明する。
【００１０】
図１ないし図４に示す本発明を実施するための第１の形態において、１は下部居室２の上部にリビング等の上部居室３を備える本発明の建物で、この建物１は前記下部居室２の天井躯体４は蓄熱材料としてのコンクリートで構成され、この天井躯体４の上部には輻射熱収納空間５を介して、前記上部居室３の床６が設けられ、該床６の外周部寄りの部位には、前記輻射熱収納空間５からの輻射熱を前記上部居室３へ導くための複数個の通気孔７、７、７、７が設けられている。
【００１１】
前記輻射熱収納空間５には輻射熱で、前記上部居室３および天井躯体４より下部居室２を熱する輻射熱発生装置８が設けられている。
【００１２】
この輻射熱発生装置８は前記床６に設けた開閉扉９を開放することにより、電源スイッチ１０のＯＮ、ＯＦＦや温度設定スイッチ１１の操作を行なうことができるオイルヒーターが使用されている。
【００１３】
上記構成の建物１は輻射熱発生装置８が発生する輻射熱が輻射熱収納空間５内に溜まり、天井躯体４を暖め、下部居室２を暖房するとともに、輻射熱収納空間５の輻射熱が通気孔７、７、７、７より上部居室３内へ導かれ、上部居室３を暖房する。
【００１４】
すなわち、輻射熱収納空間５の輻射熱発生装置８からの輻射熱で、下部居室２と上部居室３の両方を暖めることができる。
【００１５】
なお、輻射熱発生装置８の電源スイッチ１０や温度設定スイッチ１１を上部居室３、下部居室２のいずれか一方、あるいは両方へ引き出して配置してもよい。
【００１６】
[発明を実施するための異なる形態]
次に、図５ないし図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図５および図６に示す本発明を実施するための第２の形態において、前記本発明を実施するための第１の形態と主に異なる点は、輻射熱収納空間５に熱交換チューブ１２を備えた輻射熱器１３を配置し、該輻射熱収納空間５以外に配置したボイラ１４からのお湯を、熱交換チューブ１２を循環できるようにした循環パイプ１５、１５を接続した輻射熱発生装置８Ａを用いた点で、このような輻射熱発生装置８Ａを用いた建物１Ａにしても、前記本発明を実施するための第１の形態と同様な作用効果が得られる。
【００１８】
図７および図８に示す本発明を実施するための第３の形態において、前記本発明を実施するための第２の形態と主に異なる点は、輻射熱器１３の熱交換チューブ１２に温水あるいは冷水を循環させることができる輻射式冷温水機としての輻射熱発生装置８Ｂを設けた点で、このような輻射熱発生装置８Ｂを用いた建物１Ｂにすることにより、暖房と冷房の両方の温度調節を選択的に行なうことができる。
【００１９】
図９および図１０に示す本発明を実施するための第４の形態において、前記本発明を実施するための第３の形態と主に異なる点は、輻射熱収納空間５内に室内機１６を設置し、輻射熱収納空間５以外の場所に冷温水発生装置１７を設置した輻射熱発生装置８Ｃを用いた点で、このような輻射熱発生装置８Ｃを用いて構成した建物１Ｃにしても、前記本発明を実施するための第３の形態と同様な暖房と冷房の両方の温度調節を選択的に行なうことができる作用効果が得られる。
【００２０】
図１１および図１２に示す本発明を実施するための第５の形態において、前記本発明を実施するための第１の形態と主に異なる点は、輻射熱収納空間５に、床６に開閉扉１８を有し、外周部を断熱材１９で覆った床下収納庫２０を設置した点で、このように床下収納庫２０を設置した建物１Ｄにしても、前記本発明を実施するための第１の形態と同様な作用効果が得られる。
【００２１】
なお、前記本発明を実施するための各形態では天井躯体４としてコンクリートで構成したものについて説明したが、本発明はこれに限らず、蓄熱することができる蓄熱板を用いてもよい。
【００２２】
また、前記本発明を実施するための各形態では天井躯体４に蓄熱材料を用いたものについて説明したが、本発明はこれに限らず、天井躯体４と床６の両方に蓄熱材料を用いたり、天井躯体４と床６の何れか一方を蓄熱材料にし、他方を一般に使用されている普通の材料を用いたものであってもよい。
【００２３】
さらに、本発明を実施するための各形態では２階建ての建物について説明したが、本発明はこれに限らず、２階建て以上の建物にも同様に実施することができる。
【産業上の利用可能性】
【００２４】
本発明は下部居室の上部に上部居室が設置された建物を建築する産業で利用される。
【符号の説明】
【００２５】
１、１Ａ、１Ｂ、１Ｃ、１Ｄ：建物、
２：下部居室、      ３：上部居室、
４：天井躯体、        ５：輻射熱収納空間、  
６：床、        ７：通気孔、
８、８Ａ、８Ｂ、８Ｃ：輻射熱発生装置、
９：開閉扉、        １０：電源スイッチ、
１１：温度設定スイッチ、    １２：熱交換チューブ、
１３：輻射熱器、      １４：ボイラ、
１５：循環パイプ、      １６：室内機、
１７：室外機、      １８：開閉扉、
１９：断熱材、      ２０：床下収納庫。
【図１】
2013087535.tif 000003
【図２】
2013087535.tif 000004
【図３】
2013087535.tif 000005
【図４】
2013087535.tif 000006
【図５】
2013087535.tif 000007
【図６】
2013087535.tif 000008
【図７】
2013087535.tif 000009
【図８】
2013087535.tif 000010
【図９】
2013087535.tif 000011
【図１０】
2013087535.tif 000012
【図１１】
2013087535.tif 000013
【図１２】
2013087535.tif 000014